(57)【要約】【課題】発光特性に影響を与えることなく、かつアンテナ受信感度を維持できるアンテナ配置を有する発光ユニットを提供することを目的とする。【解決手段】発光ユニットは、複数の半導体発光素子と、複数の半導体発光素子が実装される発光素子基板と、複数の半導体発光素子の電力供給源である電源部と、半導体発光素子の発光に関する制御を行う制御部と、発光素子基板が取り付けられる第１面と、当該第１面の反対面である第２面であって、電源部および制御部が設けられる第２面とを有する金属製の支持部材とを備え、制御部は、信号を受信するアンテナと、アンテナで受信した信号に応じて電源部から供給される電力を制御する無線制御部５１３とを有し、無線制御部５１３は基板状であり、アンテナは無線制御部の基板５１に実装されており、無線制御部５１３は、第２面に設けられ、かつ支持部材と離間している。【選択図】図２３
2019201002.tif 000002
【特許請求の範囲】
【請求項１】
複数の半導体発光素子と、
前記複数の半導体発光素子が実装される発光素子基板と、
前記複数の半導体発光素子の電力供給源である電源部と、
前記半導体発光素子の発光に関する制御を行う制御部と、
前記発光素子基板が取り付けられる第１面と、当該第１面の反対面である第２面であって、前記電源部および前記制御部が設けられる第２面とを有する金属製の支持部材と、を備え、
前記制御部は、
信号を受信するアンテナと、前記アンテナで受信した信号に応じて前記電源部から供給される電力を制御する無線制御部とを有し、
前記無線制御部は基板状であり、前記アンテナは前記無線制御部の基板に実装されており、
前記無線制御部は、前記第２面に設けられ、かつ前記支持部材と離間している、
発光ユニット。
【請求項２】
前記無線制御部の基板面方向は、前記支持部材の前記第１面方向に沿っている、
請求項１に記載の発光ユニット。
【請求項３】
前記無線制御部の基板面方向は、前記支持部材の前記第１面方向と平行である、
請求項２に記載の発光ユニット。
【請求項４】
請求項１から３のいずれか１項に記載の発光ユニットと、前記発光ユニットが取り付け
られる器具本体とを備える照明装置であって、
前記器具本体は、造営材に取り付けられる取付部材を有する、
照明装置。
【発明の詳細な説明】
【技術分野】
【０００１】
本発明は、複数の半導体発光素子を有する発光ユニットおよび発光ユニットを備える照明装置に関する。
【背景技術】
【０００２】
従来、白熱電球や蛍光灯等の発光体が器具本体に取り付けられ、器具本体が天井や壁等の取付対象面に取り付けられる照明装置が広く用いられている。照明装置の内部には、発光体の他に、電源回路、点灯制御回路、無線アンテナなども配置されている。従来の照明装置は、ある程度の空間的余裕があるため、電源回路、点灯制御回路、無線アンテナなどをその内部に自由に設置することができる。
【０００３】
近年、発光素子として、従来用いられてきた白熱電球や蛍光灯に比べて消費電力が少なく、耐久性にも優れた発光ダイオード（ＬＥＤ：Ｌｉｇｈｔ  Ｅｍｉｔｔｉｎｇ  Ｄｉｏｄｅ）を照明装置に用いることが提案されている。ＬＥＤは白熱電球や蛍光灯よりも薄型であるため、照明装置を薄型化できる。
【先行技術文献】
【特許文献】
【０００４】
【特許文献１】特開２０１３−１７９０１４号公報
【発明の概要】
【発明が解決しようとする課題】
【０００５】
しかしながら、照明装置を薄型化した場合に、余裕空間が狭まるため、電源部（例えば、電源回路、点灯制御回路を実装する基板を有する）、無線アンテナ、無線制御回路などを自由に配置することが難しくなる。特に、無線アンテナの配置において、ＬＥＤからの照射光を低減させずに、かつアンテナ受信感度を維持したいとの要求がある。
【０００６】
本発明は、上記事情に鑑みて、発光特性に影響を与えることなく（実質的に照射光を低減させずに）、かつアンテナ受信感度を維持できるアンテナ配置を有する発光ユニットを提供することを目的とする。また、この発光ユニットを備える照明装置を提供することを目的とする。
【課題を解決するための手段】
【０００７】
上記課題を解決するために、本発明の発光ユニットは、
複数の半導体発光素子と、
前記複数の半導体発光素子が実装される発光素子基板と、
前記複数の半導体発光素子の電力供給源である電源部と、
前記半導体発光素子の発光に関する制御を行う制御部と、
前記発光素子基板が取り付けられる第１面と、当該第１面の反対面である第２面であって、前記電源部および前記制御部が設けられる第２面とを有する金属製の支持部材と、を備え、
前記制御部は、
信号を受信するアンテナと、前記アンテナで受信した信号に応じて前記電源部から供給される電力を制御する無線制御部とを有し、
前記無線制御部は基板状であり、前記アンテナは前記無線制御部の基板に実装されており、
前記無線制御部は、前記第２面に設けられ、かつ前記支持部材と離間している。
【０００８】
この構成によれば、複数の半導体発光素子が実装される発光素子基板を支持部材の第１面に配置し、電源部と制御部と無線制御部とを支持部材の第２面に配置し、そして、無線制御部は、前記第２面に設けられ、かつ前記支持部材と離間していることで、半導体発光素子からの照射光を実質的に低減させずに、アンテナ受信感度を維持できる、薄型の発光ユニットを構成できる。
【０００９】
アンテナで受信する信号の周波数帯域は、特に制限されないが、例えばプラチナバンド（７００ＭＨｚ〜１０００ＭＨｚ）が好ましい。
【００１０】
一実施形態として、前記発光ユニットは、前記無線制御部を内部に配置する第１筐体を有し、前記アンテナが前記第１筐体から前記支持部材の前記第１面側に延設される。例えば、アンテナが第２面のいずれかの端部を回り込んで第１面へ延設される構成がある。
【００１１】
一実施形態として、前記電源部を少なくとも内部に配置する第２筐体を有し、前記第２筐体と前記第１筐体が離間している。すなわち、無線制御部（第１筐体）が第２面に設けられ、かつ電源部（第２筐体）と離間している構成である。また、別例として、前記制御部（無線制御部を含む）が前記第１筐体内に配置される構成がある。また、前記制御部（無線制御部を除く）が前記第２筐体内に配置される構成がある。第１筐体内の無線制御部と、第２筐体内の制御部とは、有線で電気的に接続される。ここで「離間」距離は、少なくとも３ｍｍ以上で、好ましくは６ｍｍ以上、より好ましくは１０ｍｍ以上である。
【００１２】
一実施形態として、前記アンテナは、前記支持部材に設けられた開口を通り、前記第１面側に設けられる。
【００１３】
この構成によれば、支持部材に挿通口や切欠部などの開口を設けることで、アンテナを第２面の端部を回り込んで第１面へ延設されるよりも、短い距離で第１面へ導出できる。
【００１４】
一実施形態として、前記支持部材の前記第１面側に設けられる前記アンテナは、前記発光素子基板と離間している。
【００１５】
この構成によれば、発光素子基板からの影響によるノイズでアンテナの受信感度が低減するのを抑制できる。ここで「離間」距離は、少なくとも３ｍｍ以上で、好ましくは６ｍｍ以上、より好ましくは１０ｍｍ以上である。また、薄型化の観点から「離間」距離は２０ｍｍ以下、１０ｍｍ以下が好ましい。
【００１６】
一実施形態として、前記アンテナは、前記支持部材の前記第１面側の位置に屈曲部を有し、前記屈曲部から前記アンテナの先端部までは、前記発光素子基板の長手方向と平行に延びる。
【００１７】
この構成によれば、アンテナを発光素子基板の長手方向と平行に延設させることで、発光素子基板を覆う透光性カバー内に配置できる。
【００１８】
一実施形態として、前記支持部材の前記第１面側のアンテナは、前記発光素子基板の法線方向から見たときに、前記発光素子基板または前記半導体発光素子と重畳していない。
【００１９】
この構成によれば、発光素子基板の法線方向で、アンテナが、発光素子基板または半導体発光素子と重ならない配置にしたことで、アンテナが発光特性に影響を与えない。第１面の平面視サイズが、半導体素子基板の平面視サイズよりも大きい構成において、発光素子基板の法線方向で見たときに、アンテナが第１面と重畳した配置である（アンテナが第１面の開口から延設した配置の場合に、少なくとも一部のアンテナが第１面の開口と重畳した配置である）。
【００２０】
一実施形態として、前記支持部材が金属製である場合または少なくとも前記無線制御部が設けられる前記支持部材の位置に金属が設けられている場合に、前記無線制御部は基板状であり、当該無線制御部が前記支持部材と離間している。
【００２１】
この構成によれば、無線制御部と金属製の支持部材あるいは金属部位との絶縁性を確保でき無線アンテナにノイズが乗ることを防止できる。ここで「離間」距離は、少なくとも３ｍｍ以上で、好ましくは６ｍｍ以上、より好ましくは１０ｍｍ以上である。また、薄型化の観点から「離間」距離は２０ｍｍ以下、１０ｍｍ以下が好ましい。
【００２２】
一実施形態として、前記第１筐体は、前記支持部材に取り付けられる筐体本体と、前記無線制御部を内部に配置するように、前記筐体本体に取り付けられる筐体カバーと、を有し、前記筐体カバーは、前記無線制御部と接続される前記アンテナをガイドするガイド部と有し、前記筐体本体は、前記アンテナと共に前記ガイド部を収納する。
【００２３】
一実施形態として、前記制御部は、前記複数の半導体発光素子を調光する調光回路を有する調光制御部を備え、前記調光制御部は、前記アンテナで受信した信号に応じて前記調光回路を制御する。
【００２４】
この構成によれば、外部装置からの無線信号で、半導体発光素子を調光できる。
【００２５】
一実施形態として、前記制御部は、前記複数の半導体発光素子を調色する調色回路を有する調色制御部を備え、前記調色制御部は、前記アンテナで受信した信号に応じて前記調色回路を制御する。
【００２６】
この構成によれば、外部装置からの無線信号で、半導体発光素子を調色できる。
【００２７】
一実施形態として、前記半導体発光素子は、ＬＥＤ素子である。
【００２８】
上記発明の一実施形態として、前記無線制御部は基板状であり、前記無線制御部の基板面方向は、前記第１面方向に沿っている。基板の主面と第１面（あるいは第２面）の主面が互いに向いあう構成である。この構成によれば、無線制御部が、支持部材の第１面方向に沿っているので、発光ユニットの内のスペースを犠牲にせずに有効利用できる。
【００２９】
上記発明の一実施形態として、前記無線制御部の基板面方向は、前記第１面方向と平行である。基板の主面と第１面（あるいは第２面）の主面が互いに平行に向いあう構成である。この構成によれば、無線制御部が、支持部材の第１面方向と平行に設けられているので、発光ユニットの内のスペースをより犠牲にせずに有効利用できる。
【００３０】
他の発明の照明装置は、上記に記載の発光ユニットと、前記発光ユニットが取り付けられる器具本体とを備える照明装置であって、前記器具本体は、造営材に取り付けられる取付部材を有する。
【００３１】
上記発明の照明装置は、例えば、ベース照明、グリッド照明、スクエア照明、直管、ダウンライト、スポットライト、高天井照明、ＨＩＤ、防犯灯、電球、シーリングライト、センサーライト、棚下灯、シーンライト、演出照明、間接照明などの照明装置全般に適用可能である。
【発明の効果】
【００３２】
本発明によれば、発光特性に影響を与えることなく（照射光を低減させずに）、かつアンテナ受信感度を維持できるアンテナ配置を有する発光ユニットを提供できる。また、この発光ユニットを備える照明装置を提供できる。
【図面の簡単な説明】
【００３３】
【図１】本発明の一実施形態に係る照明装置の外観を説明する斜視図である。
【図２】本発明の一実施形態に係る照明装置の外観を説明する正投影図。
【図３】本発明の一実施形態に係る照明装置の発光ユニット側からの外観を説明する斜視図である。
【図４】本発明の一実施形態に係る照明装置の構成を説明する分解斜視図である。
【図５】本発明の一実施形態に係る照明装置の構成を説明する斜視断面図である。
【図６】本発明の一実施形態に係る照明装置の器具本体の外観を説明する斜視図である。
【図７】本発明の一実施形態に係る照明装置に設けられる、発光ユニットの位置を規制する位置規制部材を説明する図である。
【図８】本発明の一実施形態に係る照明装置の発光ユニットの外観を説明する斜視図である。
【図９】本発明の一実施形態に係る照明装置の断面図である。
【図１０】本発明の一実施形態に係る発光ユニットが備える発光素子基板を説明する平面図である。
【図１１】本発明の一実施形態に係る発光ユニットの発光素子支持部材の構成を説明する斜視断面図である。
【図１２】本発明の一実施形態に係る発光ユニットの発光素子支持部材の構成を説明する斜視断面図である。
【図１３】本発明の一実施形態に係る発光ユニットの電源部の構成を説明する分解斜視図である。
【図１４】本発明の一実施形態に係る発光ユニットの反射部材の構成を説明する斜視断面図である。
【図１５】図８における無線モジュールを拡大した斜視図である。
【図１６】図１５の無線モジュールを別の視点から見た斜視図である。
【図１７】図１５において無線モジュールを取り除いた状態の開口を説明する斜視図である。
【図１８】図１７において開口を反射部側から見た図である。
【図１９】無線モジュールの外観を示す斜視図である。
【図２０】無線モジュールの筐体カバーおよび筐体本体を示す分解斜視図である。
【図２１】無線モジュールの筐体カバーを示す斜視図である。
【図２２】無線モジュールの無線制御基板およびアンテナを示す斜視図である。
【図２３】筐体カバーに無線制御基板およびアンテナを収納した状態を示す斜視図である。
【図２４】発光素子支持部材の開口から延びるアンテナの状態（筐体カバーを取り除いた状態）を示す斜視図である。
【図２５】別実施形態１の照明装置に取り付けられた無線モジュールのアンテナの状態を説明する斜視図である。
【図２６】別実施形態２の照明装置に取り付けられた無線モジュールのアンテナの状態を説明する斜視図である。
【図２７】別実施形態３の造営材に照明装置を取り付けた状態を示す斜視図である。
【図２８】別実施形態４の造営材に照明装置を取り付けた状態を示す斜視図である。
【図２９】別実施形態５の造営材に照明装置を取り付けた状態を示す斜視図である。
【発明を実施するための形態】
【００３４】
以下、本発明の一実施形態に係る照明装置について説明する。なお、以下の実施形態において、照明装置が天井に取り付けられた場合に天井と対向する方向を照明装置の上方向とし、床方向を照明装置の下方向として説明する場合がある。また、図中、照明装置が天井に取り付けられた場合に鉛直上向き方向（天井方向）をＺ方向、床方向を−Ｚ方向とする場合がある。このとき、長尺形状の照明装置の長手方向の一方向をＸ方向、他方向を−Ｘ方向とし、長尺形状の照明装置の幅方向の一方向をＹ方向、他方向を−Ｙ方向のとする場合がある。
【００３５】
［照明装置の全体構成］
図１は、本発明の一実施形態に係る照明装置１の外観を示す斜視図である。
図２は、照明装置１の外観を示す正投影図であり、図２（Ａ）は照明装置１の上面図、図２（Ｂ）は照明装置１の側面図、図２（Ｃ）は照明装置１の底面図、図２（Ｄ）は照明装置１の正面図、図２（Ｅ）は照明装置１の背面図である。また、図２（Ｂ）は照明装置１の右側面図であり、照明装置１の左側面図は、右側面図と略同様であるため図示を省略する。
図３は、照明装置１の発光ユニット２０側からの外観を示す斜視図である。
図４は、照明装置１の構成を示す分解斜視図であり、図４（Ａ）は、照明装置１の上方向からの分解斜視図であり、図４（Ｂ）は、照明装置１の下方向からの分解斜視図である。
図５は、照明装置１の構成を示す斜視断面図である。
【００３６】
照明装置１は、照明装置用器具本体（以下、器具本体と記載する）１０と、発光ユニット２０とを備える。器具本体１０は、例えば天井又は壁等の被取付面に取り付けられる。発光ユニット２０は、器具本体１０に取り付けられる。
照明装置１は、直付タイプである。
【００３７】
発光ユニット２０は、例えばＬＥＤ等の発光素子２１と発光素子２１を覆う透光性カバー２２とを備える。
【００３８】
器具本体１０は、発光ユニット２０の透光性カバー２２が入り込むように発光ユニット２０が取り付けられる開口が設けられた発光ユニット取付凹部１１１を備える。つまり、発光ユニット２０は、透光性カバー２２の一部が発光ユニット取付凹部１１１に入り込んだ状態で、器具本体１０に取付けられる。なお、透光性カバー２２の一部は、被取付面側に位置する部分である。
【００３９】
器具本体１０の発光ユニット取付凹部１１１は、底面から開口端に向かって広がるように構成されている。換言すると、発光ユニット取付凹部１１１を構成する一対の内壁面は、底面から当該底面と直交する方向に離れるに従って間隔が広くなるように、外広がりに傾斜している。発光ユニット２０は、発光ユニット取付凹部１１１の内壁面に接触している。
【００４０】
［器具本体］
以下、器具本体１０の構成を説明する。
図６は、器具本体１０の外観を示す斜視図であり、図６（Ａ）は、器具本体１０の上方向からの外観を示す斜視図であり、図６（Ｂ）は、器具本体１０の下方向からの外観を示す斜視図である。
図７は、器具本体１０に設けられる、発光ユニット２０の位置を所定位置に規制する位置規制部材を示す図である。
図６（Ａ）及び図６（Ｂ）に示すように、器具本体１０は、取付部材１１と、側板１２（１２ａ及び１２ｂ）と、バネ部１３（１３ａ及び１３ｂ）と、端子台１４と、を備える。なお、取付部材１１には、吊りボルト用孔部１５と電力供給ケーブル用孔部１６とが形成されている。
【００４１】
以下、器具本体１０の各部について詳細に説明する。
取付部材１１は、発光ユニット取付凹部１１１の底面に対応する底板部１１４と、底板部１１４を挟んで形成され、一方向に長く延びる側縁部１１２と、を備える。底板部１１４と側縁部１１２とにより、取付部材１１の長手方向の断面において凹部が形成される。
【００４２】
取付部材１１は、例えば金属板を利用して形成される。つまり、金属板を曲げ加工することにより、発光素子２１と発光素子２１を覆う透光性カバー２２とを含む発光ユニット２０の透光性カバー２２が入り込むように開口が設けられた発光ユニット取付凹部１１１の大部分が形成される。なお、取付部材は、金属板以外に、例えば樹脂材料を利用して、射出成形したり、プレス成形したりして構成してもよい。発光ユニット取付凹部１１１は発光ユニット取付凹部１１１の開口端縁に向かって広がっている。
【００４３】
側縁部１１２は、例えば図６（Ｂ）に示す第１側縁部１１２ａ及び第２側縁部１１２ｂからなる。側縁部１１２は、発光ユニット２０に向かって突出する突形状を有している。なお、第１側縁部１１２ａ及び第２側縁部１１２ｂの少なくとも一方が発光ユニット２０に向かって（すなわち図６中の−Ｚ方向に向かって）突出する突形状を有していればよい。
ここでの突形状は、例えば、底板部１１４の短手方向の各端から外広がり状に延伸し、その後外側へと折り返された「Ｌ」字状をしている。なお、底板部１１４の各端から延伸した部分が上述の内壁に相当し、「Ｌ」字を構成する折り返された部分を折返部分という。
【００４４】
底板部１１４は、天井や壁等の造営材の被取付面と対向しており、照明装置１を被取付面に取り付けるための吊りボルト用孔部１５や、電力供給ケーブルを照明装置１内に引き込むための電力供給ケーブル用孔部１６等を備えている。
【００４５】
側板１２は、取付部材１１における長手方向の両端を覆うように取り付けられる。図６（Ｂ）に示すように、第１側板１２ａは、取付部材１１の一端を覆うように取り付けられる。第２側板１２ｂは、取付部材１１の他端を覆うように取り付けられる。第１及び第２側板１２ａ，１２ｂを取付部材１１に取付けることにより、発光ユニット取付凹部１１１や開口が形成される。
つまり、「発光ユニット取付凹部１１１」は、底板部１１４、第１側縁部１１２ａ及び第２側縁部１１２ｂ、並びに第１側板１２ａ及び第２側板１２ｂで囲まれる空間を示す。
【００４６】
また、「開口」は、第１側縁部１１２ａ及び第２側縁部１１２ｂの折返部分（頂部分）、並びに第１側板１２ａ及び第２側板１２ｂにおける被取付面と反対側の端縁部分で囲まれる領域を示す。
【００４７】
図７（Ａ）及び図７（Ｂ）に示すように、器具本体１０は、発光ユニット２０の取り付け位置を規制する位置規制部材１１３を備えていてもよい。位置規制部材１１３は、発光ユニット取付凹部１１１に配置されてもよい。
位置規制部材１１３は、発光ユニット２０が器具本体１０に取り付けられた際に発光ユニット２０と接触する。これにより、発光ユニット２０は、発光ユニット取付凹部１１１内の所定の位置に位置決めされる。
【００４８】
例えば図７（Ａ）に示すように、位置規制部材１１３は、発光ユニット取付凹部１１１を構成する内壁から発光ユニット取付凹部１１１内に突出して設けられていてもよい。このとき、位置規制部材１１３は、発光ユニット取付凹部１１１を構成する内壁に固定された金属材料等からなり、発光ユニット取付凹部１１１とは別部材で形成されている。
【００４９】
また、位置規制部材１１３は、側縁部１１２と一体に形成されるように取付部材１１の金属板を曲げ加工することで、形成されてもよい。具体的には、発光ユニット取付凹部１１１を構成する内壁の一部に切込みを形成し、その切込みが発光ユニット取付凹部１１１内に突出するように金属板を折曲げることにより、例えば断面コ字状又は断面Ｕ字状の突出部である位置規制部材１１３を形成することができる。
【００５０】
また、位置規制部材１１３は、発光ユニット取付凹部１１１を構成する側板１２に別部材として配置されていてもよい。あるいは、例えば図７（Ｂ）に示すように、位置規制部材１１３は、側板１２と一体に形成されてもよい。
このとき、位置規制部材１１３は、側板１２に突出する状態で設けられる。具体的には、器具本体１０に発光ユニット２０を取り付けた際に発光ユニット２０と対向する対向領域（図７（Ｂ）において点線で示す領域）において、側板１２の一部を発光ユニット取付凹部１１１に向かって折り曲げることにより、位置規制部材１１３が形成される。
【００５１】
図６（Ｂ）に示すように、バネ部１３は、例えば取付部材１１の底板部１１４に固定される。バネ部１３は、後述する発光ユニット２０のバネ受部２７と係合することにより、発光ユニット２０を器具本体１０の発光ユニット取付凹部１１１に入り込んだ状態を維持することに利用される。
具体的には、第１バネ部１３ａは発光ユニット２０の第１バネ受部２７ａと係合し、第２バネ部１３ｂは発光ユニット２０の第２バネ受部２７ｂと係合する。すなわち、第１バネ受部２７ａ及び第２バネ受部２７ｂ並びに第１バネ部１３ａ及び第２バネ部１３ｂは、器具本体１０（取付部材１１）に発光ユニット２０を取り付けた状態を維持する取付状態維持部として機能する。
尚、バネ部１３が発光ユニット２０に設けられ、バネ受部２７が取付部材１１の底板部１１４に固定されていてもよい。
【００５２】
端子台１４には、後述する電力供給ケーブル４０が接続される。具体的には、天井又は壁等の被取付面から導出された電力供給ケーブル４０は、端子台１４を介して、後述する電源部２８に電気的に接続される。端子台１４は、例えばネジ等により取付部材１１に取り付けられる。
【００５３】
吊りボルト用孔部１５は、図４（Ａ）及び図４（Ｂ）に示す吊りボルト３０により天井又は壁等の被取付面に器具本体１０を取り付けるために、吊りボルト３０が挿通するために設けられた孔部である。
【００５４】
電力供給ケーブル用孔部１６は、天井又は壁等の被取付面から導出された電力供給ケーブル４０を器具本体１０の発光ユニット取付凹部１１１内に引き込むために設けられた孔部である。
【００５５】
［発光ユニット］
以下、発光ユニット２０の構成を説明する。
図８は、発光ユニット２０の上方向からの外観を示す斜視図である。
図９は、発光ユニット２０を備える照明装置１の断面図である。
図１０は、発光ユニット２０が備える発光素子基板２３を説明する平面図である。
図１１は、図１０に示すＡ−Ａ’断面の斜視断面図である。
図１２は、図４（Ａ）及び図４（Ｂ）に示す発光素子支持部材２４の基板支持領域２４ａ側の一部を拡大して示す斜視図である。
図１３は、発光ユニット２０の電源部２８の構成を説明する分解斜視図である。なお、理解を容易にするため、発光ユニット２０の他の部分も図示している。
図１４は、発光ユニット２０の反射部材２９の構成を説明する断面斜視図である。
【００５６】
図８並びに図４（Ａ）及び図４（Ｂ）に示すように、発光ユニット２０は、発光素子２１と、透光性カバー２２（２２ａ，２２ｂ及び２２ｃ）と、無線モジュール５０を備える。発光ユニット２０は、発光素子２１及び透光性カバー２２以外に、例えば、発光素子基板２３と、発光素子支持部材２４と、基板固定部材２５（２５ａ〜２５ｎ）と、ネジ２６と、バネ受部２７（２７ａ及び２７ｂ）と、電源部２８と、反射部材２９とを備えてもよい。
なお、図４（Ａ）及び図４（Ｂ）において、基板固定部材２５ａを固定するネジ２６にのみ参照符号を付し、基板固定部材２５ｂから基板固定部材２５ｎを固定するネジについては参照符号を省略している。
【００５７】
以下、発光ユニット２０の各部について詳細に説明する。
透光性カバー２２は、発光素子２１を覆い、発光ユニット２０を器具本体１０に取り付けた際に器具本体１０に入り込む形状を有する。ここでは、透光性カバー２２は、長尺状をし、長手方向の端部を除いて、長手方向と直交する断面において、図９に示すように「Ｕ」字状をしている。また、透光性カバー２２は、発光素子２１から放射された光を拡散する機能を有している。
【００５８】
図４（Ａ）及び図４（Ｂ）に示すように、透光性カバー２２は、発光素子２１を覆う主カバー２２ａと、第１エンドカバー２２ｂ及び第２エンドカバー２２ｃとを備える。第１エンドカバー２２ｂは、主カバー２２ａの一端を覆うように取り付けられる。第２エンドカバー２２ｃも同様に、主カバー２２ａの他端を覆うように取り付けられる。
【００５９】
また、図９に示すように、透光性カバー２２の主カバー２２ａは、発光素子２１から放射される光を透過する光透過部２２１と、器具本体に入り込む入り込み部２２２とを備えている。なお、入り込み部２２２は、第１入り込み部２２２ａ及び第２入り込み部２２２ｂを備えている。
つまり、主カバー２２ａは、長手方向と直交する断面において、取付部材１１の底板部１１４に近い側の端部に、入り込み部２２２を有する。なお、入り込み部２２２の入り込み量は、発光ユニット２０を器具本体１０に装着して際の発光ユニット２０のたわみ量より大きい。
【００６０】
透光性カバー２２の一部である入り込み部２２２が器具本体１０の発光ユニット取付凹部１１１に入り込むことにより、発光ユニット２０がたわんだ場合であっても照明装置の外観不良が生じにくくなる。これは、発光ユニット２０がたわんだ場合に発光ユニット取付凹部１１１に入り込んでいた透光性カバー２２の入り込み部２２２が露出するのみであり、器具本体１０と発光ユニット２０との間に隙間が生じなくなるためである。
【００６１】
主カバー２２ａは、断面形状である「Ｕ」字を構成している開口側の端部が、内側・下方へと折り曲げられている。ここでの下方は、「Ｕ」の開口と反対側の端部が存在する側である。主カバー２２ａは、断面において、折り曲げられている部分を除いて、下方側から折り曲げられた部分に近づくに従って内側へと傾斜する内狭まり状になっている。
【００６２】
また、主カバー２２ａは、長手方向と直交する断面において、開口側の端部から離れた部位に、内方へと突出する突出片を有している。端部と突出片の距離は、図１４に示すように、後述の発光素子支持部材２４の折返部の長さに対応している。これにより、主カバー２２ａの端部の折り曲げ部と突出片との間の部位（嵌合部）が、発光素子支持部材２４の折返部に嵌合して、透光性カバー２２が発光素子支持部材２４に取り付けられる。この取り付けられた状態では、発光素子支持部材２４の折返部と透光性カバー２２の内面とが接触している。
なお、透光性カバー２２の入り込み部２２２は、発光素子支持部材２４の折返部と透光性カバー２２の内面との接触している領域に含まれている。これにより、発光素子２１の発光中に発生した熱は、発光素子基板２３、発光素子支持部材２４、透光性カバー２２を経由して取付部材１１に伝導する。
【００６３】
発光ユニット２０は、内狭まり状の入り込み部２２２が器具本体１０の発光ユニット取付凹部１１１の外拡がり状の内壁面に接触した状態で、器具本体１０に取り付けられる。このとき、入り込み部２２２の一部のみが発光ユニット取付凹部１１１に接触していればよいが、入り込み部２２２の全面が発光ユニット取付凹部１１１に接触していてもよい。
【００６４】
図４（Ａ）及び図４（Ｂ）に示すように、発光素子基板２３は、一方向に長く延びた板状部材であり、一方の面に複数の発光素子２１が実装される。また、図１０に示すように、発光素子基板２３は、基板が複数接続（例えば基板２３ａ及び基板２３ｂが接続）されて構成されていてもよい。
【００６５】
図１０及び図１１に示すように、発光素子基板２３には、発光素子２１に電力を供給するための配線が接続される。この配線２８ｄは、後述する発光素子支持部材２４の基板支持領域２４ａに設けられた貫通孔２４ｃを通って、発光素子基板２３と電源部２８とを接続する。なお、電源部２８の電源回路で変換された電力は、配線２８ｄを介して発光素子２１に供給される。図１０及び図１１に示す配線２３ｃは、発光素子基板２３を複数枚（２枚）の基板で構成した場合の基板２３ａ及び基板２３ｂを電気的に接続するための配線である。
【００６６】
発光素子支持部材２４は、発光素子２１が実装される発光素子基板２３を支持する。なお、発光素子支持部材は、発光素子基板２３を介して発光素子を間接的に搭載してもよいし、発光素子を直接搭載してもよい。発光素子支持部材２４は、発光素子２１の熱を放熱するヒートシンクの機能も有している。発光素子支持部材２４は、例えば、アルミニウムなどの金属材料を板金による曲げ加工を施して作製される。
【００６７】
図４（Ａ）及び図４（Ｂ）に示すように、発光素子支持部材２４は、発光素子基板２３を支持する基板支持領域２４ａを備える下面と、電源部２８を固定する上面２４ｂとを有している。基板支持領域２４ａは、発光素子基板２３の幅よりも広く形成されている。
【００６８】
また、発光素子支持部材２４は、発光素子基板２３を支持する基板支持領域２４ａが、器具本体１０方向に凹むように形成されている。つまり、発光素子支持部材２４は、図１４に示すように、基板支持領域２４ａが存在する平板部と、平板部の幅方向の端縁から透光性カバー２２側に立設する立設部と、立設部の立設先端から平板部から離れるに従って幅方向の外方へと外拡がり状に傾斜する傾斜部と、傾斜部の傾斜先端から平板部の幅方向の端に向かって折り返された折返部と、折返部の折り返し先端から内側に折り返されて折返部と当接する当接部とを有している。発光素子支持部材２４は、基板支持領域２４ａにおいて、発光素子基板２３の幅方向の両端部に設けられる基板固定部材２５により発光素子基板２３を固定する。
【００６９】
また、図１０及び図１１に示すように、発光素子支持部材２４は、基板支持領域２４ａに接続する配線２８ｄを通すための貫通孔２４ｃを備える。貫通孔２４ｃは、基板支持領域２４ａのうち、発光素子基板２３が配される領域の外側であって裏面に電源部２８が固定される位置又はその周辺に設けられる。電源部２８と対向する位置（電源部２８が固定される位置）に貫通孔２４ｃを設けることにより、電源部２８から導出した配線２８ｄを、発光素子支持部材２４上の広い領域内で引き回すことなく発光素子基板２３と接続することができる。
このため、配線２８ｄを短くすることができ、発光ユニット２０の組み立て性が向上する。また、発光素子基板２３が透光性カバー２２により覆われ、配線２８ｄが貫通孔２４ｃを通過する。このため、配線２８が外部に露出しなくなり、安全性が向上し、配線の二重被覆が不要となる。
【００７０】
基板固定部材２５は、発光素子支持部材２４の基板支持領域２４ａにおいて、長尺状の発光素子基板２３の両端部を長手方向に沿って複数個所に設けられる。図４（Ａ）及び図４（Ｂ）、並びに図１２に示すように、本実施形態では、基板固定部材２５ａから基板固定部材２５ｎが発光素子基板２３の両端部に複数備えられている。以下、基板固定部材２５ａから基板固定部材２５ｎを基板固定部材２５と記載する。
【００７１】
図１２に示すように、基板固定部材２５は、発光素子基板２３の短手方向を、発光素子基板２３の外側から発光素子基板２３の発光素子実装面上に突出する係止爪を有している。基板固定部材２５における発光素子基板２３側の端面（側面）は、発光素子基板２３の側部と当接する又は近接するように設けられている。基板固定部材２５は、例えばネジ２６によって発光素子支持部材２４に固定される。
このため、発光素子基板２３は、発光素子支持部材２４に対して浮きがないように固定される。
【００７２】
図１３に示すように、バネ受部２７は、器具本体１０のバネ部１３（図７（Ｂ）参照）と係合することにより、発光ユニット２０の一部が発光ユニット取付凹部１１１内に入り込むように、発光ユニット２０を器具本体１０に取り付けた状態を維持することに利用される。具体的には、第１バネ受部２７ａは器具本体１０の第１バネ部１３ａと係合し、第２バネ受部２７ｂは器具本体１０の第２バネ部１３ｂと係合する。
すなわち、バネ部１３（第１バネ部１３ａ及び第２バネ部１３ｂ）とバネ受部２７（第１バネ受部２７ａ及び第２バネ受部２７ｂ）は、取付部材１１に発光ユニット２０を取り付けた状態を維持する取付状態維持部として機能する。
【００７３】
取付状態維持部は、上述のように、バネ受部２７とバネ部１３との係止構造を利用しており、ここでは、バネ部１３が係止部となり、バネ受部２７が被係止部となる。なお、バネ部（係止部）は器具本体１０に存在し、バネ受部（被係止部）は発光ユニット２０に存在するが、バネ部（係止部）が発光ユニットに、バネ受部（被係止部）が器具本体にそれぞれ存在してもよい。
【００７４】
バネ部１３は、発光ユニット２０を器具本体１０に取り付けた際に、透光性カバー２２の入り込み部２２２が器具本体１０の発光ユニット取付凹部１１１を構成する内壁面を押圧する方向の負荷を発生するような、バネ機能を有する。これにより、器具本体１０と発光ユニット２０とが確実に接触し、発光素子２１の発光中に発生する熱を器具本体１０側に伝導させることができる。
なお、取付状態維持部は、発光ユニット２０が器具本体１０に取り付けた状態が維持されれば、本実施形態で説明するバネ部１３及びバネ受部２７と異なる形状であってもよい。
【００７５】
電源部２８は、ＬＥＤ等の発光素子２１の点灯回路（即ち、電源回路）を内部に収納している。電源部２８は、図９に示される器具本体１０が取り付けられる被取付面から発光ユニット取付凹部１１１内に導出される電力供給ケーブル４０と接続される。
【００７６】
図１３に示すように、電源部２８は、電源回路を備える電源基板２８ａと、電源カバー２８ｂと、電源基板２８ａ及び電源カバー２８ｂを内部に収容する電源ボックス２８ｃと、発光素子２１に対して電力を供給するための配線２８ｄ（配線２８ｄは図１３に図示せず）とを有している。
【００７７】
電源基板２８ａに備えられた電源回路は、例えば、電力供給ケーブル４０から供給される交流電力を直流に変換し、その出力（即ち、直流電力）を発光素子２１に配線２８により供給する。電源基板２８ａは、後述する形状の電源カバー２８ｂの内面であって、発光素子支持部材２４側の面に固定される。
【００７８】
電源カバー２８ｂは、例えば、アルミニウム又は銅等の材料から構成される。また、電源カバー２８ｂは、ポリカーボネート等の樹脂材料から構成されていてもよい。図１３に示すように、電源カバー２８ｂは、板状部材を複数回折り曲げた多角筒形状（ここでは、４角筒に近い形状）とされているが、電源カバー２８ｂの形状はこれに限らない。なお、電源基板２８ａとの接触面積が大きくなるような形状の方が放熱性の観点から好ましい。
【００７９】
電源ボックス２８ｃは、プラスチック、アルミニウム又はステンレス等の材料からなり、その外観形状は一方向に長く延びた箱型形状である。配線２８ｄは、発光素子支持部材２４の基板支持領域２４ａに設けられた貫通孔２４ｃを通って発光素子基板２３に接続される。
【００８０】
電源部２８は、例えば、電源ボックス２８ｃに設けられた図示しない爪部によって発光素子支持部材２４の上面２４ｂに固定されている。また、電源部２８は、ネジ等の締結部材によって発光素子支持部材２４の上面２４ｂに固定されていてもよい。
【００８１】
電源部２８は、被取付面の法線方向に見て、電力供給ケーブル４０と重なっている。すなわち、電力供給ケーブル４０は、図９に示すように、電源部２８の上面と器具本体１０との間に確保された空間に配線される。このため、電力供給ケーブル４０によって発光ユニット２０の取付けが阻害されることがなくなる。
【００８２】
反射部材２９は、発光素子２１から放射された光を反射させる機能を有する。発光素子２１から放射された光は、反射部材２９によって予め設定した方向（例えば、床面に向かう方向）へ反射される。反射部材２９は、発光素子基板２３、発光素子支持部材２４又は基板固定部材２５等の任意の個所で接着剤、ピン、ネジ等によって固定される。
【００８３】
反射部材２９は、透光性カバー２２内の発光素子基板２３の発光素子２１の実装面側に設けられる。そして、反射部材２９は、発光素子基板２３から離れるように傾斜して配置されている。具体的には、反射部材２９は、例えば図１４に示すように、発光素子２１を露出させかつ発光素子基板２３を被覆する第１反射部２９ａを備えている。
【００８４】
また、発光素子基板２３の発光素子２１の実装面側には、図示しない抵抗素子が設けられる場合がある。この場合、第１反射部２９ａには、発光素子２１を露出させる開口とともに、抵抗素子を露出させる開口が設けられる。
【００８５】
また、反射部材２９は、第１反射部２９ａの幅方向の一端部から幅方向に離れるに従って被取付面から離れるように傾斜して配置される第２反射部２９ｂと、第１反射部２９ａの幅方向の他端部から幅方向に離れるに従って被取付面から離れるように傾斜して配置される第３反射部２９ｃとを有している。
【００８６】
反射部材２９は、シート状をし、発光素子２１に対応する部分に開口を有し、発光素子支持部材２４の一対の傾斜部と発光素子基板２３に跨って配されている。
【００８７】
第１反射部２９ａには、例えば発光素子２１を露出させるための前記開口が形成されており、これにより、発光素子２１から放射された光が第１反射部２９ａ、第２反射部２９ｂ及び第３反射部２９ｃの全面で反射され、効率的に照明装置１の発光に利用される。
【００８８】
［無線モジュール］
以下、無線モジュール５０の構成を説明する。
図１５は、図８における無線モジュールを拡大した斜視図である。
図１６は、図１５の無線モジュールを別の視点から見た斜視図である。
図１７は、図１５において無線モジュールを取り除いた状態の開口を説明する斜視図である。
図１８は、図１７において開口を反射部側から見た図である。
図１９は、無線モジュールの外観を示す斜視図である。
図２０は、無線モジュールの筐体カバーおよび筐体本体を示す分解斜視図である。
図２１は、無線モジュールの筐体カバーを示す斜視図である。
図２２は、無線モジュールの無線制御基板およびアンテナを示す斜視図である。
図２３は、筐体カバーに無線制御基板およびアンテナを収納した状態を示す斜視図である。
図２４は、発光素子支持部材の開口から延びるアンテナの状態（筐体カバーを取り除いた状態）を示す斜視図である。
【００８９】
図４、８、１５に示す通り無線モジュール５０は、発光素子支持部材２４の上面２４ｂに設けられる。無線モジュール５０は筐体（５５，５６）で覆われた構造であり、別の筐体（電源ボックス２８ｃ）で覆われた電源部２８とは離間している。無線モジュール５０と電源部２８とは、有線で電気的に接続される。
【００９０】
無線モジュール５０は、信号を受信するアンテナ６０と、アンテナ６０で受信した信号に応じて電源部２８から発光素子２１へ供給される電力を制御する無線制御回路５１３（無線制御部に相当する）が実装される無線制御基板５１と、発光素子支持部材２４に取り付けられる筐体本体５６と、無線制御基板５１を内部に配置するように、筐体本体５６に取り付けられる筐体カバー５５とを有する。無線制御回路５１３は、アンテナ６０で受信した信号（制御信号、例えば、点灯ＯＮ／ＯＦＦ信号、調光信号、調色信号など）を電気信号に変換し、点灯回路（電源回路）、調光回路、調色回路などへ送る。点灯回路（電源回路）、調光回路、調色回路は、それぞれ受信した制御信号に応じて点灯制御、調光制御、調色制御を行い、適切な電力を発光素子２１へ供給する。
【００９１】
（筐体本体）
図１５、１６、１９、２０に示す筐体本体５６は、側面視でＬ字状であり、発光素子支持部材２４の上面２４ｂに取り付けられる取付部５６３と、この取付部５６３のいずれかの側面から垂直（実質的に垂直）に延設されており、発光素子支持部材２４の開口２４１および第１反射部２９ａの開口２９ａ１を貫通するように配置されるガイド収納部５６５を有する。ガイド収納部５６５は、後述するアンテナ６０およびガイド部５５３を内部に収納するポケット部５６５ａを有する（図２０参照）。
【００９２】
また、筐体本体５６は、ガイド収納部５６５が設けられている筐体本体の側面と異なる側面から延設されており、発光素子支持部材２４の上面２４ｂに固定ネジ５６２ｂで取り付けられるためのネジ穴５６２ａを有する（図１５参照）。また、筐体本体５６は、ネジ穴５６２ａと対角側の位置のガイド収納部５６５の側面に、上記開口２４１の延長開口部２４１ａ（図１７参照）に配置される位置決め部５６４を有する。この位置決め部５６４は、その下端から垂直に延びる当接部５６４ａを有する。
【００９３】
図１７に示す通り発光素子支持部材２４に開口２４１が設けられ、開口２４１の位置に対応して図１８に示す通り第１反射部２９ａにも開口２９ａ１が設けられている。筐体本体５６のガイド収納部５６５は、開口２４１、２９ａ１を貫通し、発光素子支持部材２４の基板支持領域２４ａ側へ達する（図１６参照）。当接部５６４ａを基板支持領域２４ａの表面と当接させて、筐体本体５６を固定ネジ５６２ｂで発光素子支持部材２４に取り付ける。当接部５６４ａと固定ネジ５６２ｂ（ネジ穴５６２ａ）の位置が、対角に位置していることで、安定した固定が可能になる。
【００９４】
また、筐体本体５６は、ネジ穴５６２ａが設けられている側とガイド収納部５６５が設けられている側に、対向する一対の係合爪５６１ａ、５６１ｂを有する。係合爪５６１ａ、５６１ｂは、筐体カバー５５の一対の係合部５５１ａ、５５１ｂと係合することで、筐体カバー５５を筐体本体５６に取り付ける。
【００９５】
また、筐体本体５６は、取付部５６３に、中心に穴を有する押部５６３ａが立設されている。筐体カバー５５を筐体本体５６に取り付けた際に、後述する突起部５５５ａが上記穴に配置され、かつ無線制御基板５１を押さえつけて固定する。
【００９６】
（筐体カバー）
図１５、１６、１９、２０、２１、２３に示す筐体カバー５５は、側面視でＬ字状である。筐体カバー５５は、筐体本体５６に設けられた一対の係合爪５６１ａ、５６１ｂと係合する一対の係合部５５１ａ、５５１ｂを有する。本実施形態では、筐体本体に係合爪、筐体カバーに係合部を設ける構成であるが、これに制限されず、例えば、筐体本体に係合部、筐体カバーに係合爪を設けてもよい。
【００９７】
また、筐体カバー５５は、主面５５２を有する。主面５５２は、その一部がへこんだ凹部５５２ａを形成し、凹部５５２ａと主面５５２との段差間に開口部５５２ｂが形成されている。この開口部には、７ピンのコネクタ６５が配置される（図２０参照）。
【００９８】
また、筐体カバー５５は、主面５５２の裏面（内部面）５５２ｃに無線制御基板５１が取り付けられる。裏面５５２ｃには、無線制御基板５１に設けられたネジ穴５１２の位置に対応する雌ネジ穴を有する支柱５５４が立設され、長壁面５５ａと短壁面５５ｂとが連接されるコーナーに十字支柱５５５が立設される。十字支柱５５５のクロス中心には、垂直上方に延びる突起部５５５ａが設けられる（図２１参照）。
【００９９】
また、筐体カバー５５は、アンテナ６０をガイドするガイド部５５３を有する（図２１、２３参照）。本実施形態では、ガイド部５５３は、長壁面５５ａと対向しかつ長壁面５５ａよりも面積が大きく形成された長壁面５５ｄの内部面と、裏面５５２ｃに形成される。ガイド部５５３は、少なくとも３か所でアンテナ６０と当接する第１ガイド５５３１（裏面５５２ｃに設けられる）および第２ガイド５５３２（長壁面５５ｄの内部面に設けられる）と、長壁面５５ｄに設けられたリブであって先端が切欠き形状（第１〜第３切欠き５５３３ａ、５５３４ａ、５５３５ａ）の第１〜第３リブ５５３３、５５３４、５５３５を有する。ガイド部５５３は、第１〜２ガイド部の形状とその数、第１〜第３リブの形状とその数が、これに制限されず、異なっていてもよい。
【０１００】
（無線制御基板）
図２２に示す無線制御基板５１は、その第１面５１ａに、電源部２８と接続するためのコネクタ６５が実装されている。５１２はネジ穴を示す。アンテナ６０は、その第２面５１ｂの実装部位６０ａから、基板面（第２面５１ｂ）に平行に沿って延び、第１屈曲部６１において基板面と平行にかつ離れるように直角に屈曲して延び、第２屈曲部６２において基板面に対し垂直にかつ基板面から離れるように直角に屈曲して延び、第３屈曲部６３において基面板と平行にかつ基板面に沿って先端６４まで延びる構成である。第２屈曲部６２から第３屈曲部６３までの長さＤは、発光素子２１及び発光素子支持部材２４からアンテナ６０までの距離を勘案して設計され、少なくとも３ｍｍ以上で、好ましくは６ｍｍ以上、より好ましくは１０ｍｍ以上である。また、第３屈曲部６２から先端６４までの長さＬは、受信感度を勘案して設計され、少なくとも１０ｍｍ以上で、好ましくは３０ｍｍ以上、より好ましくは５０ｍｍ以上である。上限値としては、筐体内部に収まるサイズであることが好ましい。
【０１０１】
図２３に示す通り、無線制御基板５１の第２面５１ｂには、無線制御回路５１３が実装されている。また、十字支柱５５５の突起部５５５ａを貫通する位置決め穴５１１が設けられている。
【０１０２】
［モジュールの組立］
図２３に示すとおり、筐体カバー５５の裏面（内部面）５５２ｃに無線制御基板５１が取り付けられる。十字支柱５５５の突起部５５５ａを位置決め穴５１１に貫通させ、ネジ穴５１２と支柱５５４の雌ネジ穴を合わせ、固定ネジ５１２ａで固定する。また、上記の係合手段（係合爪と係合部）で筐体カバー５５を筐体本体５６へ取り付けた際に、筐体本体５６の押部５６３ａが突起部５５５ａの穴に配置されることで、無線制御基板５１を押さえつけるため、無線制御基板５１は、固定ネジ５１２ａと押部５６３ａとの基板に対し略対角線上の２箇所で固定される。このように、本実施形態は、無線制御基板５１、筐体本体５６、筐体カバー５５を一体化した無線モジュール５０を構成する。
【０１０３】
また、突起部５５５ａは、位置決め部の機能を有しており、無線制御基板５１の位置決め穴５１１に挿入されて位置が決定される。また、無線制御基板５１は矩形形状であり、筐体本体５６の短壁面と長辺壁とで囲まれた矩形部位および支柱５５４、十字支柱５５５も同様に位置決め部の機能を有している。本実施形態では、筐体は樹脂ＰＰなどの絶縁性の樹脂で構成される。
【０１０４】
実装部位６０ａから第１屈曲部６１までのアンテナ部位は、基板面に沿って延び、短壁面５５ｃの手前で屈曲する。第１屈曲部６１から第２屈曲部６２までのアンテナ部位は、第１ガイド５５３１によって３か所で挟んでガイドされる。第２屈曲部６２から第３屈曲部６３までのアンテナ部位は短壁面５５ｃと長壁面５５ｄとで構成されるコーナーに沿ってガイドされる。第３屈曲部６３から先端６４までのアンテナ部位は、第１〜第３切欠き５５３３ａ、５５３４ａ、５５３５ａを有する第１〜第３リブ５５３３、５５３４、５５３５のそれぞれと長壁面５５ｄとで挟んでガイドされ、第２ガイド５５３２によって３か所で挟んでガイドされる。本実施形態では、少なくとも第３屈曲部６３から先端６４のアンテナ部位が、発光素子支持部材２４の基板支持領域２４ａ側に突設している。
【０１０５】
また、支柱５５４、十字支柱５５５の高さは同一である。従って、無線制御基板５１は、筐体カバー５５の主面５５２と平行であり、筐体カバー５５の主面５５２（裏面５５２ｃ）から離れた位置にあり、また、筐体本体５６の取付部５６３からも少なくとも押部５６３ａの高さ分だけ離れた位置に配置される。すなわち、無線制御基板５１を筐体で収納させることで、発光素子支持部材２４や反射板２９から離間させた状態にできるとともに、筐体内においても空間的に離間させた状態に配置させることができる。発光素子支持部材２４や反射板２９は金属製である場合に、無線制御基板５１をそれらから離間（例えば、空間的に離間、電気的に離間）させるように配置させることが好ましい。
【０１０６】
本実施形態では、無線制御基板５１の基板面方向が発光素子支持部材２４の上面２４ｂあるいは基板支持領域２４ａに平行に沿っており、無線制御基板５１の基板面（第２面５１ｂ）と上面２４ｂあるいは基板支持領域２４ａの主面が互いに向いあう構成である。
【０１０７】
（アンテナの空間配置）
図２４に示すように、アンテナ６０は、発光素子支持部材２４の基板支持領域２４ａ側の位置に第３屈曲部６３を有し、第３屈曲部６３からアンテナ６０の先端６４までは、発光素子基板２３の長手方向と平行に延びる。
【０１０８】
発光素子支持部材２４の基板支持領域２４ａ側に設けられるアンテナ６０（第２屈曲部６２から第３屈曲部６３までの部位の内少なくとも一部と、第３屈曲部６３から先端６４の部位）は、発光素子基板２３及び発光素子支持部材２４と離間している。「離間」の長さＤ１（Ｄ１＜Ｄ）は、少なくとも３ｍｍ以上で、好ましくは６ｍｍ以上、より好ましくは１０ｍｍ以上である。また、薄型化の観点から「離間」距離は２０ｍｍ以下、１０ｍｍ以下が好ましい。アンテナ６０は、アンテナ６０の受信感度の観点から、金属製の発光素子支持部材２４から離間されて配置されることが好ましい。
【０１０９】
発光素子支持部材２４の基板支持領域２４ａ側に設けられるアンテナ６０（第２屈曲部６２から第３屈曲部６３までの部位の内少なくとも一部と、第３屈曲部６３から先端６４の部位）は、発光素子基板２３の法線方向から見たときに、発光素子基板２３または発光素子２１と重畳していない配置である。
【０１１０】
［アンテナおよび制御回路］
無線制御回路５１３は、外部装置からアンテナ６０を通じて受信した信号に応じて、複数の発光素子２１へ供給される電力を制御するための指令を電源部２８（電源回路）へ行う。電源部２８は、この指令に応じた電力を複数の発光素子２１へ供給する。外部装置からの信号としては、例えば、電力供給の開始または停止、調光、調色に関する指令などが挙げられる。不図示の制御部は複数の発光素子２１を調光する調光回路を有する調光制御部を備え、調光制御部は、アンテナ６０で受信した信号に応じて調光回路を制御し、電源部２８（電源回路）に対し発光素子２１へ供給する電力を調整するように指令する。また、制御部は、複数の発光素子２１を調色する調色回路を有する調色制御部を備え、調色制御部は、アンテナ６０で受信した信号に応じて調色回路を制御し、電源部２８（電源回路）に対し発光素子２１へ供給する電力を調整するように指令する。本実施形態では、電源ボックス２８ｃの内に配置される電源基板２８ａに、点灯回路（電源回路）、調光回路、調色回路が実装されている。
尚、本実施形態は、外部装置から直接、無線で発光ユニット２０の発光素子２１を制御する場合に限られるものではない。例えば、外部装置からの無線は、一旦、ルーターや中継器で受信され、その後、上記ルーターや中継器等から発光ユニット２０に発信されて発光ユニット２０の発光素子２１を制御するものであってもよい。
さらに、上記のルーターや中継器等から発光素子２１を制御するのは、ＷｉＦｉ（登録商標）やＢｌｕｅｔｏｏｔｈ（登録商標）であってもよい。
また、本実施形態では、外部装置からの無線は、ある特定の発光ユニットで受信され、その発光ユニットから他の発光ユニットに向けて無線を発信し、上記他の発光ユニットを制御するものであってもよい。
本実施形態でいうところの無線とは、プラチナバンドの周波数帯域に限定されるものではなく、電波や光（赤外線を含む）なども含む広義の無線を意味するものとする。
【０１１１】
また、無線制御回路５１３は、複数の発光素子２１に関する情報をアンテナ６０を通じて外部装置に発信することができる。発光素子２１に関する情報としては、例えば、調光、調色、消費電力などが挙げられる。外部装置として、例えば、リモコン、携帯端末（スマートフォン、タブレット端末など）、サーバ、汎用パソコン、壁スイッチなどが挙げられる。
【０１１２】
（別実施形態１）
図２５に示す別実施形態１の照明装置は、長手方向に一列に配置される複数の発光素子２１と、複数の発光素子２１が実装される発光素子基板２３と、複数の発光素子２１の電力供給源である電源部（不図示）と、発光素子２１の発光に関する制御を行う制御部（不図示）と、発光素子基板２３が取り付けられる第１面と、当該第１面の反対面である第２面であって、電源部および制御部が設けられる第２面とを有する発光素子支持部材２４と、を備える。隣り合う発光素子基板２３は接続端子２４８で連続した電力供給ラインを構成するように電気的に接続されている。また、照明装置は、発光素子２１を除いて発光素子基板２３を覆うように配置される反射部２９を有し、カシメ２４９で固定されている。また、照明装置の制御部は、少なくとも一部が第１面側に設けられるアンテナ６０と、アンテナ６０で受信した信号に応じて電源部から供給される電力を制御する制御基板（不図示）とを有する。アンテナ６０は、反射部２９に設けられた開口２９１を通じて設けられている。図示されていないが、発光素子支持部材２４にも開口が設けられている。アンテナ６０は、カシメ２４９や接続端子２４８などの突起部位に当たらないように空間配置されている。また、図２５において、アンテナ６０は剥きだしになっているが、上記実施形態の無線モジュール５０の構成と同様に、筐体カバーおよび筐体本体に収納されていてもよい。
【０１１３】
（別実施形態２）
図２６に示す別実施形態２の照明装置は、長手方向に一列に配置される複数の発光素子２１と、複数の発光素子２１が実装される発光素子基板（不図示）と、複数の発光素子２１の電力供給源である電源部（不図示）と、発光素子２１の発光に関する制御を行う制御部（不図示）と、発光素子基板２３が取り付けられる第１面と、当該第１面の反対面である第２面であって、電源部および制御部が設けられる第２面とを有する発光素子支持部材２４と、を備える。隣り合う発光素子基板２３は接続部２４８で連続した電力供給ラインを構成するように電気的に接続されている。発光素子基板２３は、カシメ２４９で発光素子支持部材２４に固定されている。また、照明装置の制御部は、少なくとも一部が第１面側に設けられるアンテナ６０と、アンテナ６０で受信した信号に応じて電源部から供給される電力を制御する制御基板（不図示）とを有する。アンテナ６０は、発光素子支持部材２４に設けられた開口を通じて延設されている。この際に、発光素子支持部材２４とアンテナ６０との間に、絶縁層２４７（絶縁シート）を設けている。アンテナ６０は、カシメ２４９や接続端子２４８などの突起部位に当たらないように空間配置されている。また、図２６において、アンテナ６０は剥きだしになっているが、上記実施形態の無線モジュール５０の構成と同様に、筐体カバーおよび筐体本体に収納されていてもよい。
【０１１４】
（別実施形態３〜５の照明装置）
図２７に示す別実施形態３の照明装置は、トラフタイプである。器具本体１０が吊りボルト（不図示）によって造営材９０（一点鎖線）に固定されている。図２８に示す別実施形態４の照明装置は、埋め込みタイプである。造営材９０に穴が開けられており、その穴に器具本体１０が埋め込まれている。器具本体１０の長手方向に沿って突出している突出部１１２ｃ、１１２ｄの端部の上端と造営材９１、９２とを当接した状態で、器具本体１０を吊りボルト（不図示）によって造営材９１、９２に固定する。図２９に示す別実施形態４の照明装置は、半埋め込みタイプである。造営材９０に穴が開けられており、その穴に器具本体１０が略半分程度埋め込まれている。器具本体１０の長手方向に沿って突出している突出部１１２ｅ、１１２ｆの上端と造営材９１、９２とを当接した状態で、器具本体１０を吊りボルト（不図示）によって造営材９１、９２に固定する。
【０１１５】
［その他］
無線モジュールは、発光素子支持部材２４の上面２４ｂに設けられ、かつ、ボルト３０、電源部２８、端子台１４、バネ部１３などの構造物と干渉しない位置に設けられることが照明装置の薄型化の観点から好ましい。
実施形態では、無線モジュール５０は電源部２８と離間されて配置されていたが、これに限られるものではない。無線モジュールは、電源部内部に配置されていてもよい。また、電源基板と無線制御基板とは同一の基板であってもよい。このようにすれば、部品点数を削減することや器具本体１０内部において配線スペースを確保することが可能となる。
発光素子支持部材２４に筺体本体５６を取り付けたときのガイド収納部５６５の発光素子支持部材２４からの高さは、発光素子２１からの出射光に影ができない程度の高さ（例えば３ｍｍ以内）であることが好ましい。具体的には、発光素子２１の配光角（例えば、１２０°や１４０°）の外側であることが好ましい。
実施形態では、アンテナ６０における第３屈曲部６３からアンテナ６０の先端６４までの部分は、発光素子基板２３の長手方向と平行に伸びているとしたが、厳密に平行でなくともよい。上記部分は、多少、傾斜していても、発光素子基板２３の長手方向におよそ沿っていればよい。およそ沿っている角度としては、例えば、発光素子基板２３の長手方向に対して±３０度の角度範囲内であればよい。
実施形態では、筺体カバー５５と筺体本体５６とは別体であるとしたが、これに限られるものではない。筺体カバーと筺体本体とは一体であってもよい。これにより、部品点数の削減が可能となる。また、筺体カバーと筺体本体とが一体であり、さらに、アンテナ６０の第３屈曲部６３と先端６４の部位が筺体で覆われておらず、むき出しとなっていてもよい。これにより、アンテナ６０の受信感度のさらなる向上を実現することが可能となる。
実施形態では、発光素子としてＬＥＤを用いたが、これに限られるものではない。発光素子として有機ＥＬや無機ＥＬなどを用いてもよい。
本発明の範囲は、図示され記載された例示的な実施形態に限定されるものではなく、本発明が目的とするものと均等な効果をもたらす全ての実施形態をも含む。さらに、本発明の範囲は、請求項により画される発明の特徴の組み合わせに限定されるものではなく、全ての開示されたそれぞれの特徴のうち特定の特徴のあらゆる所望する組み合わせによって画されうる。
【符号の説明】
【０１１６】
１  照明装置
１０  器具本体
１３  バネ部
１１１  取付凹部
２１  発光素子
２２  透光性カバー
２２１  光透過部
２２２  入り込み部
２７  バネ受部
２８  電源部
２８ｃ  電源ボックス
４０  電力供給ケーブル  
５０  無線モジュール
５１  無線制御基板
５１３  無縁制御回路
５５  筐体カバー
５５３  ガイド部
５６  筐体本体
６０  アンテナ
【図１】
2019201002.tif 000003
【図２】
2019201002.tif 000004
【図３】
2019201002.tif 000005
【図４】
2019201002.tif 000006
【図５】
2019201002.tif 000007
【図６】
2019201002.tif 000008
【図７】
2019201002.tif 000009
【図８】
2019201002.tif 000010
【図９】
2019201002.tif 000011
【図１０】
2019201002.tif 000012
【図１１】
2019201002.tif 000013
【図１２】
2019201002.tif 000014
【図１３】
2019201002.tif 000015
【図１４】
2019201002.tif 000016
【図１５】
2019201002.tif 000017
【図１６】
2019201002.tif 000018
【図１７】
2019201002.tif 000019
【図１８】
2019201002.tif 000020
【図１９】
2019201002.tif 000021
【図２０】
2019201002.tif 000022
【図２１】
2019201002.tif 000023
【図２２】
2019201002.tif 000024
【図２３】
2019201002.tif 000025
【図２４】
2019201002.tif 000026
【図２５】
2019201002.tif 000027
【図２６】
2019201002.tif 000028
【図２７】
2019201002.tif 000029
【図２８】
2019201002.tif 000030
【図２９】
2019201002.tif 000031